【手続補正書】
【提出日】平成20年6月25日(2008.6.25)
【手続補正１】
【補正対象書類名】明細書
【補正対象項目名】特許請求の範囲
【補正方法】変更
【補正の内容】
【特許請求の範囲】
【請求項１】
液体ポンプ圧を調整する方法であって、
液体管路の末端と弁を介して連通する少なくとも１つの液体空間を有する流量制御装置を提供し、
前記液体空間の圧力を較正し、
前記液体空間と前記末端を連通させ、
前記液体空間に関する圧力を測定し、
前記測定された圧力に従い前記液体ポンプ圧を調整する、
ことを含んでなる方法。
【請求項２】
前記液体空間の圧力の較正は、
前記末端から前記液体空間を絶縁し、
前記液体空間と圧力連通する１つの制御空間の第１較正圧を測定し、
前記液体空間を加圧し、
前記制御空間の第２較正圧を測定する、
ことを含んでなる請求項１の方法。
【請求項３】
前記液体空間の圧力の較正は、
前記末端から前記液体空間を絶縁し、
前記液体空間と圧力連通する１つの制御空間の圧力を測定し、
前記液体空間を正圧に加圧し、
前記液体空間が正圧に加圧されている間に前記制御空間の圧力を測定し、
前記液体空間の前記加圧された圧力を下げ、
前記液体空間の圧力が下げられている間に前記制御空間の圧力を測定する、
ことを含んでなる請求項１の方法。
【請求項４】
前記液体空間は、圧力測定がなされる制御空間から前記液体空間を分離する可撓性膜を含む請求項１の方法。
【請求項５】
前記流量制御装置はポンプを含んでなる請求項１の方法。
【請求項６】
液体ポンプ圧を調整する方法であって、
第１液体空間と、該第１液体空間に弁を介して連通する第２液体空間を有する流量制御装置を供給し、
前記第１液体空間及び前記第２液体空間に弁を介して連通する末端を有する液体管路を提供し、
前記第１及び第２液体空間の圧力を較正し、
前記第１液体空間と前記末端の液体連通を確立し、
前記第１液体空間に関する圧力を測定し、
該測定された圧力に従って前記液体ポンプ圧を調整する、
ことを含んでなる方法。
【請求項７】
前記両液体空間の圧力の較正は、
前記両液体空間を前記末端から絶縁し、
前記第１及び第２液体空間に関する第１較正圧を測定し、
前記第１液体空間を加圧し、
前記第２液体空間に関する第２較正圧を測定し、
前記複数の測定された圧力に従って前記液体ポンプ圧を調整する、
ことを含んでなる請求項６の方法。
【請求項８】
前記両液体空間の圧力の較正は、
前記両液体空間を前記末端から絶縁し、
前記第１及び第２液体空間に関する第１較正圧を測定し、
前記第１液体空間を加圧し、
前記第１液体空間を加圧している間に前記第２液体空間に関する第２較正圧を測定し、
前記第１液体空間の加圧された圧力を下げ、
前記第１液体空間の圧力が下げられている間に前記第２液体空間に関する第３較正圧を測定し、
前記複数の測定された圧力に従って前記液体ポンプ圧を調整する、
ことを含んでなる請求項６の方法。
【請求項９】
前記第１及び第２液体空間はいずれも前記液体空間を前記制御空間から分離する可撓性膜を含み、前記圧力測定は前記制御空間のものである請求項６の方法。
【請求項１０】
前記第１及び第２液体空間は１つのカセット内に配設される請求項６の方法。
【請求項１１】
前記流量制御装置はポンプを含んでなる請求項１０の方法。
【請求項１２】
第１位置と第２位置間の相対高度を推定する方法であって、
圧力変換器を備えかつ前記第２位置に弁を介して連通する膜ポンプを有する流量制御装置を前記第１位置に配設し、
前記膜ポンプを前記第２位置から絶縁し、
前記圧力変換器を較正し、
前記膜ポンプを前記第２位置に連通させ、
前記圧力変換器により前記膜ポンプの圧力を測定し、
該圧力に基づいて前記相対高度を推定する、
ことを含んでなる方法。
【請求項１３】
前記圧力変換器の較正は、
前記第１位置の圧力に等しい圧力の液体で前記膜ポンプを満たし、
前記膜ポンプの第１較正圧を測定し、
既知の較正圧に等しい圧力の液体で前記膜ポンプを満たし、
前記膜ポンプの第２較正圧を測定し、
前記既知の較正圧、前記第１較正圧及び前記第２較正圧に基づいて圧力と相対高度間の線形適合を組み立てることによって相対高度を推定すること、
を含んでなる請求項１２の方法。
【請求項１４】
前記相対高度はプロセッサによって決定される請求項１３の方法。
【請求項１５】
弁を介し、かつ液体管路の末端を介して第２位置に連通する少なくとも１つの液体空間を含む流量制御装置を第１位置に配設して、前記第１位置と前記第２位置間の高度差を決定するプロセッサに使用するコンピュータプログラム製品であって、コンピュータで読み込み可能なプログラムコードを持つコンピュータで使用可能なメディアを含み、前記コンピュータで読み込み可能なプログラムコードは、
前記ポンプの複数の圧力値を読み取り記憶するプログラムコードと、
前記記憶された圧力値間の相関関係を算定し識別するプログラムコードと、
前記識別された相関関係に基づいて圧力値を計算するプログラムコードと、
前記計算された圧力に基づいて高度差を推定するプログラムコードとを、
含んでなるコンピュータプログラム製品。
【請求項１６】
前記高度差に基づいて必要なポンピング圧を計算するプログラムコードと、
前記必要なポンピング圧に従って前記流量制御装置のポンピング圧を調整するプログラムコードとを、
さらに含んでなる請求項１５のコンピュータプログラム製品。
【請求項１７】
弁を介し、かつ液体管路の末端を介して第２位置に連通する少なくとも１つの液体空間を含む流量制御装置を第１位置に配設して、液体ポンプ圧を調整するプロセッサに使用するコンピュータプログラム製品であって、コンピュータで読み込み可能なプログラムコードを持つコンピュータで使用可能なメディアを含み、前記コンピュータで読み込み可能なプログラムコードは、
前記ポンプの複数の圧力値を読み取り記憶するプログラムコードと、
前記記憶された圧力値間の相関関係を算定し識別するプログラムコードと、
前記識別された相関関係に基づいて圧力値を計算するプログラムコードと、
前記識別された相関関係に基づいて必要なポンピング圧を計算するプログラムコードとを、
含んでなるコンピュータプログラム製品。
【請求項１８】
第１位置に配設され、前記第１位置と第２位置との高度差を検出する流量制御装置であって、
少なくとも１つの液体空間と、
前記液体空間に弁を介して圧力連通する液体管路であって、前記第２位置に位置する末端を有する液体管路と、
前記液体空間に関する圧力を測定する少なくとも１つの変換器と、
圧力値を読み取り記憶するプロセッサであって、前記圧力値間の相関関係を算定し識別し、前記識別された相関関係に基づいて圧力値を計算し、前記計算された圧力に基づいて高度差を推定するプロセッサとを、
含んでなる流量制御装置。
【請求項１９】
前記算定され識別される相関関係は線形適合である請求項１８の装置。
【請求項２０】
前記液体空間は、該液体空間を制御空間から分離する可撓性膜を含み、圧力測定は前記制御空間のものである請求項１８の装置。
【請求項２１】
前記液体空間は１つのカセット内に配設される請求項１８の装置。
【請求項２２】
さらに少なくとも１つのポンプを含んでなる請求項１８の装置。
【請求項２３】
さらに少なくとも１つのピストンを含んでなる請求項１８の装置。
【請求項２４】
液体ポンプ圧を調整するシステムであって、
液体管路の末端と弁を介して連通する少なくとも１つの液体空間を持つ流量制御装置であって、前記液体空間を加圧する圧力手段を含む流量制御装置と、
前記少なくとも１つの液体空間と、前記末端の流体連通を制御する弁装置と、
前記少なくとも１つの液体空間に関する圧力を測定する変換器と、
前記弁装置、前記圧力手段及び前記液体ポンプ圧を制御するコントローラであって、前記変換器によって測定された圧力に従い前記液体ポンプ圧を調整するコントローラとを、
含んでなるシステム。
【請求項２５】
液体ポンプ圧を調整するシステムであって、
弁を介して互いにかつ液体管路の末端に連通する第１及び第２液体空間を持つ流量制御装置であって、前記液体空間のうちの少なくとも１つを加圧する圧力手段を含む流量制御装置と、
前記第１液体空間と前記第２液体空間の流体連通と、前記第１及び第２液体空間と前記末端の流体連通を制御する弁装置と、
前記少なくとも１つの液体空間に関する圧力を測定する変換器と、
前記弁装置、前記圧力装置及び前記液体ポンプ圧を制御するコントローラであって、前記変換器によって測定した圧力に従い液体ポンプ圧を調整するコントローラとを、
含んでなるシステム。
【請求項２６】
前記コントローラは、
前記弁装置を介して前記第１及び第２液体空間を前記末端から絶縁させ、
前記第１液体空間が前記末端から絶縁されている間に変換器に前記第１液体空間に関する圧力を測定させ、
前記圧力手段に前記第２液体空間を加圧させ、
前記第２液体空間が加圧された後に前記第１液体空間に関する圧力の測定を生じさせる、
請求項２６のシステム。
【請求項２７】
前記各液体空間は可撓性膜を含んでなる請求項２５のシステム。
【請求項２８】
前記少なくとも１つの液体空間は１つのカセットの中に配設される請求項２７のシステム。